(57)【要約】      （修正有）【課題】多量の使用済みのラッピングテープを容易に収納することができる回収容器でかつ廃却用のゴミ袋に容易に移し替えることができるテープラップ装置の回収容器を提供。【解決手段】機械本体11前面下部15に取り付けたテープラップ加工後の使用済みのラッピングテープ3B回収袋受け16と、回収袋受け16に取り付けた回収袋21とからなり、回収袋21は、回収袋受け16に取り付け可能な重量のある開口枠17、開口枠17に対応した形状の重量のある底枠18、及び、開口枠17と底枠18との間及び底枠18の間に張られた柔軟性のある耐油・耐水性の袋地19からなる。【選択図】図１
2008183677.tif 000002
【特許請求の範囲】
【請求項１】
比較的非圧縮性の研磨材被覆ラッピングテープと、該ラッピングテープをクランクシャフトを含む軸物の被加工物表面に接触させ押圧する比較的剛性の凹面を有する一対のシュー組立体と、該シュー組立体を支持する一対の開閉アームとを有するテープラップ装置において、機械本体前下部に取り付けたテープラップ加工後の使用済みのラッピングテープ回収袋受けと、回収袋受けに取り付けた回収袋とからなり、前記回収袋は、回収袋受けに取り付け可能な重量のある開口枠、開口枠に対応した形状の重量のある底枠、及び、前記開口枠と底枠との間及び底枠の間に張られた柔軟性のある耐油・耐水性の袋地からなることを特徴とするテープラップ装置の回収袋。
【請求項２】
前記回収袋の開口枠及び底枠はステンレスパイプで形成され、前記柔軟性のある耐油・耐水性の袋地はポリエステルシートからなることを特徴とする請求項１記載のテープラップ装置の回収袋。
【請求項３】
前記回収袋受けは前方に引き出せるようにしたことを特徴とする請求項１記載のテープラップ装置の回収袋。
【発明の詳細な説明】
【技術分野】
【０００１】
本発明は比較的非圧縮性の研磨材被覆ラッピングテープと、該ラッピングテープをクランクシャフトを含む軸物の被加工物表面に接触させ押圧する比較的剛性の凹面を有する一対のシュー組立体と、該シュー組立体を支持する一対の開閉アームとを有するテープラップ装置の使用済みのラッピングテープ回収袋に関する。
【背景技術】
【０００２】
従来のかかる比較的非圧縮性の研磨材被覆ラッピングテープと、該ラッピングテープをクランクシャフトを含む軸物の被加工物表面に接触させ押圧する比較的剛性の凹面を有する一対のシュー組立体と、該シュー組立体を支持する一対の開閉アームとを有するテープラップ装置の使用済みのラッピングテープ回収装置としては、例えば特許文献１、図５、段落〔００２０〕第11−16行に開示するものがある。このものは新しいラッピングテープを巻いたラッピングテープ繰り出しリールをテープラップ装置の機械本体前面下部に配置し機械本体前面上部に使用済みのラッピングテープを巻取る巻取リールを配置した。
【特許文献１】特許第３５５８９１７号公報  図５、段落〔００２０〕
【非特許文献１】株式会社不二越  2002年10月発行カタログNo.6387 「小形マイクロフィニッシヤ”ＧＢＱ−Ｄ２５０”背面
【発明の開示】
【発明が解決しようとする課題】
【０００３】
しかしながら、テープラップ装置においては、多量の使用済みのラッピングテープが発生するので、特許文献１のように、機械本体前面上部に巻取リールを配置すると、ごく短時間で巻取リールを交換する必要があり、極めて生産性が低いので、実務では、例えば、図５に示す、非特許文献１：株式会社不二越  2002年10月発行カタログNo.6387 「小形マイクロフィニッシヤ”ＧＢＱ−Ｄ２５０”背面に開示する、小形マイクロフィニッシヤ”ＧＢＱ−Ｄ２５０”の側面図に開示するように、新しいラッピングテープを巻いたラッピングテープ繰り出しリール10をテープラップ装置の機械本体前面上部12に配置し、機械本体後面下部15に使用済みのラッピングテープを巻取る使用済みのラッピングテープ巻取リール20を配置し、使用済みのラッピングテープ巻取リールの下方に使用済みのラッピングテープ回収容器21を配置していた。回収容器21はプラスチック製の箱が使用されていた。    非特許文献１のように、機械本体後面下部に使用済みのラッピングテープ巻取リール20を配置し、さらに使用済みのラッピングテープ巻取リールの下方にプラスチック製の箱からなる使用済みのラッピングテープ回収容器21を配置すると、多量の使用済みのラッピングテープを容易に収納することができ、生産性を上げることはできたが、プラスチック製の箱からなる回収容器21から廃却用のゴミ袋に移し替えるときに、使用済みのラッピングテープを持ち上げることが困難で、人手と休止時間がかかった。
【０００４】
本発明の課題は、多量の使用済みのラッピングテープを容易に収納することができる回収容器で、かつ廃却用のゴミ袋に容易に移し替えることができるテープラップ装置の回収容器を提供することにある。
【課題を解決するための手段】
【０００５】
このため本発明は、比較的非圧縮性の研磨材被覆ラッピングテープと、該ラッピングテープをクランクシャフトを含むな軸物の被加工物表面に接触させ押圧する比較的剛性の凹面を有する一対のシュー組立体と、該シュー組立体を支持する一対の開閉アームとを有するテープラップ装置において、機械本体前下部に取り付けたテープラップ加工後の使用済みのラッピングテープ回収袋受けと、回収袋受けに取り付けた回収袋とからなり、前記回収袋は、回収袋受けに取り付け可能な重量のある開口枠、開口枠に対応した形状の重量のある底枠、及び、前記開口枠と底枠との間及び底枠の間に張られた柔軟性のある耐油・耐水性の袋地からなることを特徴とするテープラップ装置の回収袋を提供することによって上記した従来製品の課題を解決した。
【発明の効果】
【０００６】
本発明のテープラップ装置の回収袋は、機械本体前下部に取り付けたテープラップ加工後の使用済みのラッピングテープ回収袋受けと、回収袋受けに取り付けた回収袋とからなり、前記回収袋は、回収袋受けに取り付け可能な重量のある開口枠、開口枠に対応した形状の重量のある底枠、及び、前記開口枠と底枠との間及び底枠の間に張られた柔軟性のある耐油・耐水性の袋地からなるので、回収袋を回収袋受けに取り付けたとき、重量のある底枠の自重で回収袋は深く下方に伸びることで、多量の使用済みのラッピングテープを容易に収納することができる回収容器となり、回収袋受けから回収袋を取り外すと、回収袋は重量のある開口枠の自重でつぶされて設置面に低く折り畳んだ状態になり、収納された多量の使用済みのラッピングテープがむき出しになり、このむき出しの使用済みのラッピングテープを廃却用のゴミ袋に容易に移し替えることができ、また、収納された多量の使用済みのラッピングテープを入れたままでも、回収袋を容易に移動し廃却用のゴミ袋に容易に移し替えることもできるテープラップ装置の回収袋を提供するものとなった。
【０００７】
好ましくは、前記回収袋の開口枠及び底枠はステンレスパイプで形成され、前記柔軟性のある耐油・耐水性の袋地はポリエステルシートからなることにより、折り畳み性能をよくし、取扱い易いテープラップ装置の回収袋を提供するものとなった。
また、前記回収袋受けは前方に引き出せるようにされることにより、より容易に回収袋を取り出すことができるテープラップ装置の回収袋を提供するものとなった。
【発明を実施するための最良の形態】
【０００８】
本発明を実施するための最良の形態の一例を図面を参照して説明する。図１は本発明の実施するための最良の形態のテープラップ装置の概略正面図、図２は図１のテープラップ装置の回収袋の拡大正面図で実線は回収袋受けから外された状態の回収袋が、重量のある開口枠の自重でつぶされて設置面に低く折り畳まれた状態を示し、２点鎖線は回収袋が回収袋受けから取り外される前の状態を示す。図３は図１のテープラップ装置の左側面図、図４は図１の回収袋受けに取り付けられたときのテープラップ装置の回収袋のより拡大した図で、（ａ）は回収袋の上面図、（ｂ）は正面図、（ｃ）は（ｂ）の右側面図、（ｄ）は（ｂ）のＸ−Ｘ線に沿った要部拡大断面図で上は開口枠、下は底枠をそれぞれ示す。
【０００９】
本発明の実施形態のテープラップ装置は、比較的非圧縮性の研磨材被覆ラッピングテープ3Aと、ラッピングテープ3Aをクランクシャフトを含む軸物の被加工物 4表面に接触させ押圧する比較的剛性の凹面を有する一対のシュー組立体 2と、シュー組立体 2を支持する一対の開閉アーム 1とを有するテープラップ装置において、機械本体11前面下部15に取り付けたテープラップ加工後の使用済みのラッピングテープ3B回収袋受け16と、回収袋受け16に取り付けた回収袋21とからなり、回収袋21は、回収袋受け16に取り付け可能な重量のある開口枠17、開口枠17に対応した形状の重量のある底枠18、及び、開口枠17と底枠18との間及び底枠18の間に張られた柔軟性のある耐油・耐水性の袋地19からなる。概略側面図である図３において、新しいラッピングテープ3Aを巻いたラッピングテープ繰り出しリール10はテープラップ装置の機械本体11前面上部12に配置され、開閉アーム 1とシュー組立体立体 2は後退した退避位置にあり、図示しない、退避位置から前進した中間の開閉アーム 1とシュー組立体立体 2の位置で、ラッピングテープ繰り出しリール10及び使用済みのラッピングテープ巻取リール20の段取り替え位置となり、この位置で、新しいラッピングテープ3Aを巻いたラッピングテープ繰り出しリール10に取り替え、繰り出しリール10の新しいラッピングテープ3Aの一端部を、一対のシュー組立体 2,2との間を通してから、巻取リール20を通し、ラッピングテープ回収容器21に収納されるように段取り替えされる。さらに前進した開閉アーム 1とシュー組立体立体 2の位置では、クランクシャフトを含む軸物の被加工物 4表面を掴み押圧している。クランクシャフトを含む軸物の被加工物 4は機械本体11前面に固定された、共に図示しない、ヘッドセンタ13に回転可能に支持されたヘッドストックと、テールセンタ14に回転可能に支持されたテールストックとの間に取り付けれれ、前進した開閉アーム 1とシュー組立体立体 2がクランクシャフトを含む軸物の被加工物 4表面を掴み押圧した状態で、被加工物 4がヘッドストックにより回転され、被加工物 4表面のテープラップ加工が行なわれる。
【００１０】
本発明の実施形態のテープラップ装置の回収袋は、機械本体11前面下部15に取り付けたテープラップ加工後の使用済みのラッピングテープ3B回収袋受け16と、回収袋受け16に取り付けた回収袋21とからなり、回収袋21は、回収袋受け16に取り付け可能な重量のある開口枠17、開口枠17に対応した形状の重量のある底枠18、及び、開口枠17と底枠18との間及び底枠18の間に張られた柔軟性のある耐油・耐水性の袋地19からなるので、回収袋を回収袋受けに取り付けたとき、重量のある底枠の自重で回収袋は深く下方に伸びることで、多量の使用済みのラッピングテープを容易に収納することができる回収容器となり、回収袋受けから回収袋を取り外すと、回収袋は重量のある開口枠の自重でつぶされて設置面に低く折り畳んだ状態になり、収納された多量の使用済みのラッピングテープがむき出しになり、このむき出しの使用済みのラッピングテープを廃却用のゴミ袋に容易に移し替えることができ、また、収納された多量の使用済みのラッピングテープを入れたままでも、回収袋を容易に移動し廃却用のゴミ袋に容易に移し替えることもできるテープラップ装置の回収袋を提供するものとなった。なお、廃却用のゴミ袋に移し替えた後の回収袋は、再使用される。
【００１１】
さらに、本発明の実施形態のテープラップ装置では、回収袋21の開口枠17及び底枠18はステンレスパイプで形成され（開口枠17及び底枠18はプラスチック製棒であってもよい）、柔軟性のある耐油・耐水性の袋地はポリエステルシートからなる（他のプラスチック製シート又は防水加工を施した布であってもよい）ことにより、折り畳み性能をよくし、取扱い易いテープラップ装置の回収袋を提供するものとなった。
また、回収袋受け16は図３の点線で示す 16Bの位置まで前方に引き出せるようにされることにより、より容易に回収袋 21Bを取り出すことができるテープラップ装置の回収袋を提供するものとなった。
【図面の簡単な説明】
【００１２】
【図１】本発明の実施するための最良の形態のテープラップ装置の概略正面図。
【図２】図１のテープラップ装置の回収袋の拡大正面図で実線は回収袋受けから外された状態の回収袋が、重量のある開口枠の自重でつぶされて設置面に低く折り畳まれた状態を示し、２点鎖線は回収袋が回収袋受けから取り外される前の状態を示す。
【図３】図１のテープラップ装置の左側面図。
【図４】図１の回収袋受けに取り付けられたときのテープラップ装置の回収袋のより拡大した図で、（ａ）は回収袋の上面図、（ｂ）は正面図、（ｃ）は（ｂ）の右側面図、（ｄ）は（ｂ）のＸ−Ｘ線に沿った要部拡大断面図で、上が開口枠、下が底枠を示す。
【図５】非特許文献１：株式会社不二越  2002年10月発行カタログNo.6387 「小形マイクロフィニッシヤ”ＧＢＱ−Ｄ２５０”」背面に開示する、小形マイクロフィニッシヤ”ＧＢＱ−Ｄ２５０”の側面図
【符号の説明】
【００１３】
1 ：開閉アーム、2 ：シュー組立体、3A：新しいラッピングテープ、3B：使用済みのラッピングテープ、4 ：被加工物、10：ラッピングテープ繰り出しリール、11：機械本体、12：機械本体前面上部、15：機械本体11前面下部、16：回収袋受け、17：開口枠、18：底枠、19：袋地、20：使用済みのラッピングテープ巻取リール、21：回収袋
【図１】
2008183677.tif 000003
【図２】
2008183677.tif 000004
【図３】
2008183677.tif 000005
【図４】
2008183677.tif 000006
【図５】
2008183677.tif 000007
【手続補正書】
【提出日】平成19年6月19日(2007.6.19)
【手続補正１】
【補正対象書類名】特許請求の範囲
【補正対象項目名】請求項３
【補正方法】変更
【補正の内容】
【請求項３】
前記回収袋は前方に引き出せるようにしたことを特徴とする請求項１記載のテープラップ装置の回収袋。
【手続補正２】
【補正対象書類名】明細書
【補正対象項目名】０００７
【補正方法】変更
【補正の内容】
【０００７】
好ましくは、前記回収袋の開口枠及び底枠はステンレスパイプで形成され、前記柔軟性のある耐油・耐水性の袋地はポリエステルシートからなることにより、折り畳み性能をよくし、取扱い易いテープラップ装置の回収袋を提供するものとなった。
また、前記回収袋は前方に引き出せるようにされることにより、より容易に回収袋を取り出すことができるテープラップ装置の回収袋を提供するものとなった。
【手続補正３】
【補正対象書類名】明細書
【補正対象項目名】００１１
【補正方法】変更
【補正の内容】
【００１１】
さらに、本発明の実施形態のテープラップ装置では、回収袋21の開口枠17及び底枠18はステンレスパイプで形成され（開口枠17及び底枠18はプラスチック製棒であってもよい）、柔軟性のある耐油・耐水性の袋地はポリエステルシートからなる（他のプラスチック製シート又は防水加工を施した布であってもよい）ことにより、折り畳み性能をよくし、取扱い易いテープラップ装置の回収袋を提供するものとなった。
また、回収袋21は図３の点線で示す 21Bの位置まで前方に引き出せるようにされることにより、より容易に回収袋21を取り出すことができるテープラップ装置の回収袋を提供するものとなった。
【手続補正４】
【補正対象書類名】図面
【補正対象項目名】図３
【補正方法】変更
【補正の内容】
【図３】
2008183677.tif 000008